【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
第一の色空間の色データを第二の色空間の色データに変換する色変換手段を評価するための色処理装置であって、
前記第一の色空間を複数のステップ数に分解し、分解の後の各ステップの色データを、前記色変換手段を用いて前記各ステップの色データに対応する前記第二の色空間の色データからなる複数のパッチデータに変換する変換手段と、
前記複数のパッチデータを用いて出力手段によって記録媒体上に出力された複数のパッチ画像を測色して得られる第三の色空間上の複数の測色データを入力する入力手段と、
前記複数の測色データから抽出した基準点データを用いて、前記複数の測色データのうち残りの測色データに対応し、前記第三の色空間においてリニアに分布する目標点の目標データを作成する作成手段と、
前記各ステップの色データに対する、前記作成された目標データと前記残りの測色データとの間のずれ量から評価値を算出する算出手段と
を具えたことを特徴とする色処理装置。
【請求項２】
前記基準点データは白、黒および前記出力手段の一次色および二次色のプライマリを示すデータであり、前記目標データは、前記プライマリの間の階調が明度、彩度及び色相のうちの該当するものに関してリニアになるように作成されていることを特徴とする請求項１に記載の色処理装置。
【請求項３】
ガンマ空間調整手段をさらに有し、
前記ガンマ空間調整手段は、前記目標データを、前記色変換手段が有する明度のガンマ値に合わせて調整し、前記算出手段に供給することを特徴とする請求項１または２に記載の色処理装置。
【請求項４】
写像手段と、再写像手段とをさらに有し、
前記写像手段は、前記入力手段により入力された複数の測色データをリニアな空間に写像して、前記算出手段に供給し、
前記再写像手段は、前記算出手段によって算出された評価値を、前記写像とは逆の方向で再写像することを特徴とする請求項１または２に記載の色処理装置。
【請求項５】
写像手段と、再写像手段とをさらに有し、
前記写像手段は、前記入力手段により入力された複数の測色データをリニアな空間に写像して、前記ガンマ空間調整手段に供給し、
前記再写像手段は、前記算出手段によって算出された評価値を、前記写像とは逆の方向で再写像することを特徴とする請求項３に記載の色処理装置。
【請求項６】
前記算出手段によって算出されたずれ量に基づき、前記色変換手段により変換される前記第二の色空間の色データを補正する補正手段を有することを特徴とする請求項１乃至５のいずれか一項に記載の色処理装置。
【請求項７】
前記第一の色空間は、ＲＧＢ空間、Ｌ＊ａ＊ｂ＊空間、ＸＹＺ空間、ＣＭＹＫ空間のいずれか１つであることを特徴とする請求項１乃至６のいずれか一項に記載の色処理装置。
【請求項８】
前記第二の色空間は、前記出力手段の搭載色材に対応していることを特徴とする請求項１乃至７のいずれか一項に記載の色処理装置。
【請求項９】
前記第三の色空間は、Ｌ＊ａ＊ｂ＊空間、ＸＹＺ空間、Ｊａｂ空間のいずれか１つであり、前記測色データは前記第三の色空間上の値であることを特徴とする請求項１乃至８のいずれか一項に記載の色処理装置。
【請求項１０】
第一の色空間の色データを第二の色空間の色データに変換する色変換装置を評価するための色処理方法であって、
前記第一の色空間を複数のステップ数に分解し、分解の後の各ステップの色データを、前記色変換装置を用いて前記各ステップの色データに対応する前記第二の色空間の色データからなる複数のパッチデータに変換する変換ステップと、
前記複数のパッチデータを用いて出力装置によって記録媒体上に出力された複数のパッチ画像を測色して得られる第三の色空間上の複数の測色データを入力する入力ステップと、
前記複数の測色データから抽出した基準点データを用いて、前記複数の測色データのうち残りの測色データに対応し、前記第三の色空間においてリニアに分布する目標点の目標データを作成する作成ステップと、
前記各ステップの色データに対する、前記作成された目標データと前記残りの測色データとの間のずれ量から評価値を算出する算出ステップと
を具えたことを特徴とする色処理方法。
【請求項１１】
前記基準点データは白、黒および前記出力装置の一次色および二次色のプライマリを示すデータであり、前記目標データは、前記プライマリの間の階調が明度、彩度及び色相のうちの該当するものに関してリニアになるように作成されていることを特徴とする請求項１０に記載の色処理方法。
【請求項１２】
前記目標データを、前記色変換装置が有する明度のガンマ値に合わせて調整するガンマ空間調整ステップをさらに有し、
前記算出ステップにおいて、前記調整された目標データと前記ずれ量から前記評価値を算出することを特徴とする請求項１０または１１に記載の色処理方法。
【請求項１３】
前記入力ステップにおいて入力された複数の測色データをリニアな空間に写像する写像ステップをさらに有し、
前記算出ステップにおいて、該複数の測色データが写像されたリニアな空間を用いて前記評価値を算出し、及び、
該評価値を、前記写像とは逆の方向で再写像する再写像ステップをさらに有することを特徴とする請求項１０または１１に記載の色処理方法。
【請求項１４】
前記入力ステップにおいて入力された複数の測色データをリニアな空間に写像する写像ステップをさらに有し、
前記ガンマ空間調整ステップにおいて、該複数の測色データが写像されたリニアな空間を用いて前記目標データを調整し、及び、
前記算出ステップにおいて算出された前記評価値を、前記写像とは逆の方向で再写像する再写像ステップをさらに有することを特徴とする請求項１２に記載の色処理方法。
【請求項１５】
前記算出ステップによって算出されたずれ量に基づき、前記色変換装置により変換される前記第二の色空間の色データを補正する補正ステップをさらに有することを特徴とする請求項１０乃至１４のいずれか一項に記載の色処理方法。
【請求項１６】
前記第一の色空間は、ＲＧＢ空間、Ｌ＊ａ＊ｂ＊空間、ＸＹＺ空間、ＣＭＹＫ空間のいずれか１つであることを特徴とする請求項１０乃至１５のいずれか一項に記載の色処理方法。
【請求項１７】
前記第二の色空間は、前記出力装置の搭載色材に対応していることを特徴とする請求項１０乃至１６のいずれか一項に記載の色処理方法。
【請求項１８】
前記第三の色空間は、Ｌ＊ａ＊ｂ＊空間、ＸＹＺ空間、Ｊａｂ空間のいずれか１つであり、前記測色データは前記第三の色空間上の値であることを特徴とする請求項１０乃至１７のいずれか一項に記載の色処理方法。
【請求項１９】
第一の色空間の色データを第二の色空間の色データに変換する色変換装置を評価するための色処理方法をコンピュータに実行させるためのプログラムであって、該方法が、
前記第一の色空間を複数のステップ数に分解し、分解の後の各ステップの色データを、前記色変換装置を用いて前記各ステップの色データに対応する前記第二の色空間の色データからなる複数のパッチデータに変換する変換ステップと、
前記複数のパッチデータを用いて出力装置によって記録媒体上に出力された複数のパッチ画像を測色して得られる第三の色空間上の複数の測色データを入力する入力ステップと、
前記複数の測色データから抽出した基準点データを用いて、前記複数の測色データのうち残りの測色データに対応し、前記第三の色空間においてリニアに分布する目標点の目標データを作成する作成ステップと、
前記各ステップの色データに対する、前記作成された目標データと前記残りの測色データとの間のずれ量から評価値を算出する算出ステップと
を具えたことを特徴とするプログラム。
【請求項２０】
請求項１９に記載のプログラムを記録したコンピュータ読み取り可能媒体。
【手続補正２】
【補正対象書類名】明細書
【補正対象項目名】発明の名称
【補正方法】変更
【補正の内容】
【発明の名称】色処理装置、色処理方法、プログラム及び媒体
【手続補正３】
【補正対象書類名】明細書
【補正対象項目名】０００１
【補正方法】変更
【補正の内容】
【０００１】
本発明は、例えば、カラープリンタ等の画像形成装置のための色処理方法、色処理装置、プログラム及び媒体に関するものである。
【手続補正４】
【補正対象書類名】明細書
【補正対象項目名】０００７
【補正方法】変更
【補正の内容】
【０００７】
そこで、本発明の目的は、以上のような問題を解消した色処理方法、色処理装置、プログラム及び媒体を提供することにある。
【手続補正５】
【補正対象書類名】明細書
【補正対象項目名】０００８
【補正方法】変更
【補正の内容】
【０００８】
本発明が提供する色処理装置は、第一の色空間の色データを第二の色空間の色データに変換する色変換手段を評価するための色処理装置であって、前記第一の色空間を複数のステップ数に分解し、分解の後の各ステップの色データを、前記色変換手段を用いて前記各ステップの色データに対応する前記第二の色空間の色データからなる複数のパッチデータに変換する変換手段と、前記複数のパッチデータを用いて出力手段によって記録媒体上に出力された複数のパッチ画像を測色して得られる第三の色空間上の複数の測色データを入力する入力手段と、前記複数の測色データから抽出した基準点データを用いて、前記複数の測色データのうち残りの測色データに対応し、前記第三の色空間においてリニアに分布する目標点の目標データを作成する作成手段と、前記各ステップの色データに対する、前記作成された目標データと前記残りの測色データとの間のずれ量から評価値を算出する算出手段とを具えたことを特徴とする。
本発明が提供する色処理方法は、第一の色空間の色データを第二の色空間の色データに変換する色変換装置を評価するための色処理方法であって、前記第一の色空間を複数のステップ数に分解し、分解の後の各ステップの色データを、前記色変換装置を用いて前記各ステップの色データに対応する前記第二の色空間の色データからなる複数のパッチデータに変換する変換ステップと、前記複数のパッチデータを用いて出力装置によって記録媒体上に出力された複数のパッチ画像を測色して得られる第三の色空間上の複数の測色データを入力する入力ステップと、前記複数の測色データから抽出した基準点データを用いて、前記複数の測色データのうち残りの測色データに対応し、前記第三の色空間においてリニアに分布する目標点の目標データを作成する作成ステップと、前記各ステップの色データに対する、前記作成された目標データと前記残りの測色データとの間のずれ量から評価値を算出する算出ステップとを具えたことを特徴とする。
本発明が提供するプログラムは、第一の色空間の色データを第二の色空間の色データに変換する色変換装置を評価するための色処理方法をコンピュータに実行させるためのプログラムであって、該方法が、前記第一の色空間を複数のステップ数に分解し、分解の後の各ステップの色データを、前記色変換装置を用いて前記各ステップの色データに対応する前記第二の色空間の色データからなる複数のパッチデータに変換する変換ステップと、前記複数のパッチデータを用いて出力装置によって記録媒体上に出力された複数のパッチ画像を測色して得られる第三の色空間上の複数の測色データを入力する入力ステップと、前記複数の測色データから抽出した基準点データを用いて、前記複数の測色データのうち残りの測色データに対応し、前記第三の色空間においてリニアに分布する目標点の目標データを作成する作成ステップと、前記各ステップの色データに対する、前記作成された目標データと前記残りの測色データとの間のずれ量から評価値を算出する算出ステップとを具えたことを特徴とする。また、本発明が提供する媒体は、上記プログラムを記録したコンピュータ読み取り可能媒体とすることができる。